(57)【要約】【課題】使い勝手を向上させることができるオプション部材の取付構造、及びそれを備えた什器を提供する。【解決手段】支持体１７の延伸方向の一部に着脱可能に装着されるフック部材２０と、フック部材２０及び支持体１７間に介在する介装部材３０と、を備え、介装部材３０は、下方に向かって開放されるとともに、支持体１７に対する支持体１７の延伸軸Ｃ周りへの回転が拘束された状態で、支持体１７に着脱可能に係止されるベース部３１を有し、フック部材２０は、下方に向かって開放されるとともに、ベース部３１に対する延伸軸Ｃ周りへの回転が拘束された状態で、介装部材３０に着脱可能に係止される係止プレート２１を有する。【選択図】図３
2019080733.tif 000002
【特許請求の範囲】
【請求項１】
支持体の延伸方向の一部に着脱可能に装着されるオプション部材と、
前記オプション部材及び前記支持体間に介在する介装部材と、を備え、
前記介装部材は、下方に向かって開放されるとともに、前記支持体に対する前記支持体の延伸軸周りへの回転が拘束された状態で、前記支持体に着脱可能に係止されるベース部を有し、
前記オプション部材は、下方に向かって開放されるとともに、前記ベース部に対する前記延伸軸周りへの回転が拘束された状態で、前記介装部材に着脱可能に係止される係止部を有するオプション部材の取付構造。
【請求項２】
前記介装部材は、前記オプション部材よりも摩擦係数の低い材料により形成されている請求項１に記載のオプション部材の取付構造。
【請求項３】
前記オプション部材は、前記介装部材よりも剛性が高くなっている請求項１又は請求項２に記載のオプション部材の取付構造。
【請求項４】
前記支持体は、前記延伸軸に直交する断面形状が矩形であり、
前記介装部材の前記ベース部は、前記ベース部が前記支持体に装着された状態において、前記支持体のうち上方を向く上面と、前記上面の両側から下方に垂下する一対の側面と、に沿って配置される請求項１から請求項３の何れか一項に記載のオプション部材の取付構造。
【請求項５】
前記支持体は、一対の前記側面のうちの一方の前記側面に段部を有し、
前記介装部材は、前記段部に係止される係止爪を有する請求項４に記載のオプション部材の取付構造。
【請求項６】
前記段部は、前記支持体の前記延伸方向に沿って連続して形成されている請求項５に記載のオプション部材の取付構造。
【請求項７】
前記介装部材は、前記ベース部及び前記係止爪を接続するとともに、前記支持体から離間する方向に弾性変形可能とされた下向片を備える請求項４から請求項６の何れか一項に記載のオプション部材の取付構造。
【請求項８】
前記下向片は、前記支持体よりも下方に突出している請求項７に記載のオプション部材の取付構造。
【請求項９】
前記下向片は、上下方向の一部のみが前記支持体に接触している請求項７又は請求項８に記載のオプション部材の取付構造。
【請求項１０】
前記オプション部材及び前記介装部材の一方に、前記オプション部材及び前記介装部材の他方に向かって突出する凸部が形成され、
前記オプション部材及び前記介装部材の他方に、前記凸部が係合する凹部が形成されている請求項１から請求項９の何れか一項に記載のオプション部材の取付構造。
【請求項１１】
前記ベース部と前記係止部との前記延伸方向への相対移動を拘束する軸方向拘束部をさらに備える請求項１から請求項１０の何れか一項に記載のオプション部材の取付構造。
【請求項１２】
請求項１から請求項１１の何れか一項に記載のオプション部材の取付構造を備える什器。
【発明の詳細な説明】
【技術分野】
【０００１】
本発明は、オプション部材の取付構造、及びそれを備えた什器に関する。
【背景技術】
【０００２】
医療施設や介護施設等において、点滴用の輸液を収容した輸液パックが用いられている。
例えば特許文献１、２に開示されるように、輸液パックは、点滴スタンドに設けられたフックに吊り下げられて用いられる。
【先行技術文献】
【特許文献】
【０００３】
【特許文献１】特開２０１２−１０７１８号公報
【特許文献２】特開２０１３−１７６５３号公報
【発明の概要】
【発明が解決しようとする課題】
【０００４】
ところで、医療従事者が複数の患者用に点滴を準備する際、フックを複数備えた点滴スタンドを用いることがある。この種の点滴スタンドは、水平方向に沿って延びる杆体に、複数のフックが設けられて構成されている。しかしながら、従来の点滴スタンドでは、フックが杆体に固定された構成が一般的である。そのため、輸液パックの数や種類等によっては、例えば輸液パックをフックに吊り下げる際や輸液パックの確認作業の際等の作業性が悪いという課題があった。
【０００５】
本発明は、使い勝手を向上させることができるオプション部材の取付構造、及びそれを備えた什器を提供することを目的とする。
【課題を解決するための手段】
【０００６】
上記目的を達成するために、本発明の一態様に係るオプション部材の取付構造は、支持体の延伸方向の一部に着脱可能に装着されるオプション部材と、前記オプション部材及び前記支持体間に介在する介装部材と、を備え、前記介装部材は、下方に向かって開放されるとともに、前記支持体に対する前記支持体の延伸軸周りへの回転が拘束された状態で、前記支持体に着脱可能に係止されるベース部を有し、前記オプション部材は、下方に向かって開放されるとともに、前記ベース部に対する前記延伸軸周りへの回転が拘束された状態で、前記介装部材に着脱可能に係止される係止部を有する。
【０００７】
この構成によれば、介装部材のベース部は、下方に向かって開放された形状を有している。これにより、介装部材は、支持体に対し、上方から着脱することができる。また、支持体にベース部を係止させた状態では、介装部材は支持体から脱落しにくい。さらに、介装部材のベース部は、支持体に対し、伸軸周りへの回転が拘束された状態で係止される。したがって、介装部材は、支持体に確実に支持される。
また、オプション部材の係止部は、下方に向かって開放された形状を有している。これにより、オプション部材は、介装部材のベース部に対し、上方から着脱することができる。また、介装部材に係止部を係止させた状態では、オプション部材は介装部材から脱落しにくい。さらに、オプション部材は、介装部材のベース部に対し、延伸軸周りへの回転が拘束された状態で係止される。したがって、オプション部材は、介装部材を介して支持体に確実に支持される。
このように、本態様では、オプション部材が支持体に着脱可能に装着されるため、支持体に対するオプション部材の取付位置や取付数を容易に変更することができる。そのため、使い勝手を向上させることができる。
しかも、本態様では、オプション部材が介装部材を介して支持体に着脱可能に装着されるため、オプション部材に求められる機能（例えば、剛性）や介装部材に求められる機能（例えば、摩擦係数）に応じて、オプション部材及び介装部材の材料や形状等を適宜設定できる。これにより、設計の自由度も向上させることができる。
【０００８】
本発明の一態様に係るオプション部材の取付構造において、前記介装部材は、前記オプション部材よりも摩擦係数の低い材料により形成されていてもよい。
この構成によれば、支持体の延伸方向におけるオプション部材及び介装部材の取付位置を調整する場合において、支持体に対して介装部材を摺動させながら、オプション部材及び介装部材の位置調整を行うことができる。すなわち、オプション部材及び介装部材を支持体に装着した状態で、支持体に対するオプション部材及び介装部材の位置を調整できる。さらに、支持体への介装部材の着脱、及び介装部材へのオプション部材の着脱を容易に行うことができる。
【０００９】
本発明の一態様に係るオプション部材の取付構造において、前前記オプション部材は、前記介装部材よりも剛性が高くなっていてもよい。
この構成によれば、オプション部材が介装部材に比べて剛性の高い材料により形成されているため、例えばオプション部材をフックやトレー等に利用した場合は、物品を安定して支持できる。
しかも、オプション部材が介装部材を介して支持体に装着されるので、オプション部材が剛性の高い材料により形成されている場合であっても、オプション部材の支持体に対する取付位置の変更時や、支持体に対する着脱時等において、支持体が傷つくのを抑制できる。
【００１０】
本発明の一態様に係るオプション部材の取付構造において、前記支持体は、前記延伸軸に直交する断面形状が矩形であり、前記介装部材の前記ベース部は、前記ベース部が前記支持体に装着された状態において、前記支持体のうち上方を向く上面と、前記上面の両側から下方に垂下する一対の側面と、に沿って配置されてもよい。
この構成によれば、介装部材が支持体に対する支持体の延伸軸周りの回転が拘束された状態で、支持体に装着できる。さらに、このような介装部材にフック部材を係止させることで、フック部材も、支持体に対する支持体の延伸軸周りの回転が拘束された状態で、支持体に装着できる。
【００１１】
本発明の一態様に係るオプション部材の取付構造において、前記支持体は、一対の前記側面のうちの一方の前記側面に段部を有し、前記介装部材は、前記段部に係止される係止爪を有していてもよい。
この構成によれば、介装部材の係止爪が支持体の段部に係止されることで、支持体に対するオプション部材及び介装部材の上述した延伸軸周りの回転をより確実に拘束できる。
【００１２】
本発明の一態様に係るオプション部材の取付構造において、前記段部は、前記支持体の前記延伸方向に沿って連続して形成されていてもよい。
この構成によれば、介装部材の係止爪を、段部の連続方向に沿った任意の位置に係止することができる。これにより、オプション部材及び介装部材を、支持体の延伸方向の任意の位置に装着できる。
【００１３】
本発明の一態様に係るオプション部材の取付構造において、前記介装部材は、前記ベース部及び前記係止爪を接続するとともに、前記支持体から離間する方向に弾性変形可能とされた下向片を備えていてもよい。
この構成によれば、下向片を支持体から離間する方向に弾性変形させると、係止爪と段部との係合が解除され、介装部材を支持体から容易に取り外すことができる。
【００１４】
本発明の一態様に係るオプション部材の取付構造において、前記下向片は、前記支持体よりも下方に突出していてもよい。
この構成によれば、延長片に指等を引掛けることで、下向片を支持体から離間する方向に容易に弾性変形させることができる。これにより、オプション部材及び介装部材をより簡単に支持体から取り外すことができる。
【００１５】
本発明の一態様に係るオプション部材の取付構造において、前記下向片は、上下方向の一部のみが前記支持体に接触していてもよい。
この構成によれば、下向片の全体が支持体に接触する場合に比べて、下向片と支持体との接触面積が少なくなり、介装部材と支持体との間に生じる摩擦抵抗を抑えることができる。したがって、支持体の延伸方向に沿って介装部材を容易に移動させることができ、オプション部材の取付位置の調整を容易に行うことができる。
【００１６】
本発明の一態様に係るオプション部材の取付構造において、前記オプション部材及び前記介装部材の一方に、前記オプション部材及び前記介装部材の他方に向かって突出する凸部が形成され、前記オプション部材及び前記介装部材の他方に、前記凸部が係合する凹部が形成されてもよい。
この構成によれば、オプション部材及び介装部材の一方に形成された凸部と、他方に形成された凹部とが互いに係合することで、介装部材に対するフック部材の上述した延伸軸周りへの回転を拘束できる。
【００１７】
本発明の一態様に係るオプション部材の取付構造において、前記ベース部と前記係止部との前記延伸方向への相対移動を拘束する軸方向拘束部をさらに備えていてもよい。
この構成によれば、オプション部材と介装部材とが支持体の延伸方向に相対的に位置ずれするのを抑えることができる。
【００１８】
本発明の一態様に係る什器は、上記態様のオプション部材の取付構造を備える。
この構成によれば、支持体に対するオプション部材の取付位置や取付数を容易に変更することが可能となる。
【発明の効果】
【００１９】
本発明の一態様によれば、オプション部材の取付位置や取付数を容易に変更することができる。
【図面の簡単な説明】
【００２０】
【図１】本実施形態に係るオプション部材の取付構造を備えた什器の全体構成を示す正面図である。
【図２】上記什器の側面図である。
【図３】本実施形態におけるオプション部材の取付構造を示す図であり、支持体の延伸軸に直交する断面図である。
【図４】フック部材を示す側面図である。
【図５】フック部材の正面図である。
【図６】介装部材の側面図である。
【図７】介装部材の背面図である。
【図８】フックユニットを支持体に着脱する際の動作説明図である。
【図９】本実施形態の第１変形例を示す断面図である。
【図１０】本実施形態の第２変形例に係るフックユニットの幅方向の中心における断面図である。
【図１１】本実施形態の第２変形例に係るフックユニットの幅方向の中心からずれた位置における断面図である。
【図１２】本実施形態の第２変形例に係る介装部材の背面図である。
【図１３】本実施形態の第２変形例に係るフック部材の正面図である。
【図１４】本実施形態の第３変形例に係るフックユニットの断面図である。
【図１５】本実施形態の第４変形例に係る点滴ラック部の平面図である。
【発明を実施するための形態】
【００２１】
以下、添付図面を参照して、本発明によるオプション部材の取付構造、及びそれを備えた什器を実施するための形態を説明する。しかし、本発明はこの実施形態のみに限定されるものではない。
【００２２】
図１は、本実施形態に係るオプション部材の取付構造を備えた什器１０の全体構成を示す正面図である。図２は、什器１０の側面図である。
図１、図２に示すように、什器１０は、床面Ｆ上に設けられる什器本体１１と、点滴用の輸液パックが複数掛止可能な点滴ラック部１５と、を備える。
【００２３】
什器本体１１は、上面が作業面とされた天板１２と、天板１２を支持する支持構造体１３と、を備える。支持構造体１３の下面には、複数のキャスター１４が設けられている。すなわち、什器本体１１は床面Ｆ上を移動可能に構成されている。
本実施形態において、天板１２は、例えば平面視長方形状とされている。
【００２４】
点滴ラック部１５は、天板１２の上面から上方に延びる支柱１６と、支柱１６に支持され、水平方向に直線状に延びる支持体１７と、支持体１７に着脱可能に設けられるフックユニット１９と、を備える。なお、支持体１７及びフックユニット１９により、本実施形態のオプション部材の取付構造が構成されている。
【００２５】
本実施形態において、支持体１７は、天板１２の短手方向に間隔をあけて２本設けられている。支柱１６は、各支持体１７のそれぞれに、天板１２の長手方向に間隔をあけて２本設けられている。なお、支柱１６は、支持体１７を確実に支持できるのであれば、その本数や形状等について限定するものではない。
【００２６】
図３は、支持体１７の延伸軸Ｃに直交する断面図である。
各支持体１７は、天板１２の長手方向に直線状に延びる角管である。図３に示すように、各支持体１７は、その延伸軸Ｃに直交する断面形状が上下方向を長手方向とする長方形状に形成されている。支持体１７は、鉛直上方を向く上面１７ｔと、上面１７ｔの両側から鉛直下方に垂下する一対の側面１７ａ，１７ｂと、側面１７ａ，１７ｂの下端同士を結び、鉛直下方を向く下面１７ｄと、を備える。
【００２７】
フックユニット１９は、フック部材２０及び介装部材３０が組み合わされて構成されている。フックユニット１９は、支持体１７の延伸方向の一部に着脱可能に装着される。これにより、支持体１７には、延伸方向に沿って、複数のフックユニット１９が装着可能となっている。
【００２８】
図４は、フック部材２０を示す側面図である。図５は、フック部材２０の正面図である。
図３〜図５に示すように、各フック部材２０は、介装部材３０よりも剛性の高い材料（例えば金属材料）により形成されている。フック部材２０は、係止プレート（係止部）２１と、フック本体２２と、を備える。
【００２９】
係止プレート２１は、下方に向かって開放されたＪ字状に形成されている。係止プレート２１は、上面部２１ｔと、前面部２１ａと、後面部２１ｂと、を一体に有する。
上面部２１ｔは、フックユニット１９が支持体１７に装着された状態で支持体１７の上面１７ｔと平行に延びる。
【００３０】
前面部２１ａは、上面部２１ｔの第一端部（支持体１７の延伸方向から見た側面視での第一端部）から下方に向かって延びる。前面部２１ａは、フックユニット１９が支持体１７に装着された状態で支持体１７の側面１７ａと平行に延びる。前面部２１ａの下端２１ｓは、フックユニット１９が支持体１７に装着された状態で下面１７ｄとほぼ同じ高さに位置する。前面部２１ａは、その下部にフック本体２２が接合されるフック支持部２１ｄを有する。また、前面部２１ａは、フック支持部２１ｄの上側に、下方から上方の上面部２１ｔに向かって、幅方向が漸次大きくなる拡幅部２１ｗを有している。すなわち、拡幅部２１ｗの上部及び上面部２１ｔは、フック支持部２１ｄに比べて支持体１７の延伸方向に沿った幅寸法が大きい。
【００３１】
後面部２１ｂは、上面部２１ｔの第二端部から下方に向かって延びる。後面部２１ｂは、支持体１７の延伸方向に沿った幅寸法が上面部２１ｔと同等に形成されている。すなわち、後面部２１ｂの幅寸法は、フック支持部２１ｄの幅寸法よりも大きい。後面部２１ｂは、フックユニット１９が支持体１７に装着された状態で支持体１７の側面１７ｂと平行に延びる。後面部２１ｂは、前面部２１ａよりも上下方向の長さが短い。後面部２１ｂの下端２１ｒは、フックユニット１９が支持体１７に装着された状態で支持体１７の側面１７ｂにおける上下方向の中間部に位置する。
【００３２】
係止プレート２１は、上面部２１ｔに形成された凹部（軸方向拘束部）２８と、後面部２１ｂに形成された凹部（軸方向拘束部）２９と、をさらに備える。これら凹部２８、２９は、係止プレート２１を厚み方向に貫通する貫通孔によって形成してもよいし、係止プレート２１の内面上で開口する有底状の窪みによって形成してもよい。
【００３３】
フック本体２２は、係止プレート２１の前面部２１ａ（フック支持部２１ｄ）に固定されている。フック本体２２は、フック支持部２１ｄに基端部が接合され、支持体１７から離間する水平方向に延びる直線部２２ａと、直線部２２ａに連続して形成された上向きのフック部２２ｂと、を有する。
【００３４】
図３に示すように、フック部材２０は、支持体１７との間に、介装部材３０を介在させて支持体１７に装着される。
【００３５】
図６は、介装部材３０の側面図である。図７は、介装部材３０の背面図である。
図３、図６、図７に示すように、介装部材３０は、例えば樹脂材料等、フック部材２０及び支持体１７を形成する材料よりも摩擦係数が小さな材料で形成されている。介装部材３０は、ベース部３１と、下向片３５と、を一体に有する。
【００３６】
ベース部３１は、下方に向かって開放されたＪ字状に形成されている。ベース部３１は、上面部３１ｔと、前面部３１ａと、後面部３１ｂと、を一体に有する。
上面部３１ｔは、フックユニット１９が支持体１７に装着された状態で支持体１７の上面１７ｔに沿って配置される。上面部３１ｔは、支持体１７の上面１７ｔと係止プレート２１の上面部２１ｔとの間に介在する。
【００３７】
前面部３１ａは、上面部３１ｔの第一端部（支持体１７の延伸方向から見た側面視での第一端部）から下方に向かって延びる。前面部３１ａは、側面１７ａと係止プレート２１の前面部２１ａとの間に介在した状態で、支持体１７の側面１７ａに沿って配置される。前面部３１ａの下端は、支持体１７に装着した状態で側面１７ａにおける上下方向の中間部に位置する。前面部３１ａの下端部には、支持体１７の側面１７ａ側に突出する突出部３１ｓが形成されている。前面部３１ａの下部は、支持体１７の延伸方向に沿った幅寸法が、フック支持部２１ｄと同等とされている。前面部３１ａは、その上部に、下方から上方に向かって、支持体１７の延伸方向に沿う幅寸法が漸次大きくなる拡幅部３１ｗを有している。すなわち、拡幅部３１ｗの上部及び上面部３１ｔは、係止プレート２１の拡幅部２１ｗの上部及び上面部２１ｔと、同等の幅寸法を有している。
【００３８】
後面部３１ｂは、上面部３１ｔの第二端部から下方に向かって延びる。後面部３１ｂは、支持体１７の延伸方向に沿った幅寸法が上面部３１ｔと同等に形成されている。後面部３１ｂは、支持体１７の側面１７ｂと係止プレート２１の後面部２１ｂとの間に介在した状態で、側面１７ｂに沿って配置される。後面部３１ｂは、前面部３１ａよりも上下方向の長さが短い。後面部３１ｂの下端には、下向片３５との間に、支持体１７の延伸方向に沿った幅寸法が上方から下方に向かって漸次小さくなる縮幅部３１ｎが連続して形成されている。縮幅部３１ｎは、フックユニット１９が支持体１７に装着された状態で、係止プレート２１の後面部２１ｂの下端２１ｒの近傍に位置する。
【００３９】
ベース部３１は、上面部３１ｔに形成された凸部（軸方向拘束部）３８と、後面部３１ｂに形成された凸部（軸方向拘束部）３９と、をさらに備える。凸部３８は、上面部３１ｔから上方（係止プレート２１の上面部２１ｔ側）に突出し、係止プレート２１の上面部２１ｔに形成された凹部２８に係合する。凸部３９は、後面部３１ｂから後方（係止プレート２１の後面部２１ｂ側）に突出し、後面部２１ｂに形成された凹部２９に係合する。凸部３９は、その上部に、後面部３１ｂから後方への突出寸法が上方から下方に向かって漸次大きくなる傾斜面３９ｓを有している。この傾斜面３９ｓにより、ベース部３１にフック部材２０の係止プレート２１を装着するときに、係止プレート２１の後面部２１ｂの下端２１ｒが凸部３９を上方から下方に容易に乗り越え、凹部２９に凸部３９を容易に係合させることができる。
【００４０】
下向片３５は、ベース部３１の縮幅部３１ｎから下方に連なっている。下向片３５は、フック部材２０の係止プレート２１よりも下方に延びている。
下向片３５は、上部折曲部３５ａと、平行延伸部３５ｂと、下部折曲部３５ｃと、係止爪３６と、延長片３７と、を有する。
【００４１】
上部折曲部３５ａは、縮幅部３１ｎに対して後方（支持体１７の側面１７ｂから離間する方向）に折曲している。平行延伸部３５ｂは、上部折曲部３５ａから下方に延びている。平行延伸部３５ｂは、側面１７ｂとの間に隙間を隔てて、側面１７ｂと平行に延びている。下部折曲部３５ｃは、平行延伸部３５ｂの下端に連なっている。下部折曲部３５ｃは、平行延伸部３５ｂに対して前方（支持体１７の側面１７ｂに近づく方向）に折曲している。これにより、図３に示すように、下向片３５は、上下方向の一部である上部３５ｐと下部３５ｑのみが支持体１７の側面１７ｂに接触し、上部３５ｐと下部３５ｑとの間の部分（上下方向の残部）は、支持体１７の側面１７ｂから離間している。
【００４２】
図３、図６に示すように、係止爪３６は、下部折曲部３５ｃの下端に連なっている。係止爪３６は、下部折曲部３５ｃに対して前方（支持体１７の側面１７ａ側）に突出するように折曲することで形成されている。係止爪３６は、支持体１７の側面１７ｂと下面１７ｄとがなす角部によって形成される段部１８に係止される。段部１８は、支持体１７の延伸方向に連続している。これにより、介装部材３０の係止爪３６は、支持体１７の延伸方向の任意の位置で、段部１８に係止させることができる。
【００４３】
延長片３７は、係止爪３６の下方に連続して形成されている。延長片３７は、下端部３７ｓが、支持体１７の下面１７ｄよりも下方に突出するように延びている。延長片３７は、係止爪３６から下方に向かって、ベース部３１の前面部３１ａから漸次離間するよう湾曲して形成されている。
【００４４】
図８は、フックユニット１９を支持体１７に着脱する際の動作説明図である。
図８に示すように、フックユニット１９を支持体１７に装着するには、まずフック部材２０の係止プレート２１の内側に、介装部材３０のベース部３１を取り付けておく。このとき、ベース部３１の凸部３８，３９を、係止プレート２１の凹部２８，２９に係合させておく。
【００４５】
次いで、フックユニット１９を、支持体１７の上方から下方に向かって移動させることで、介装部材３０のベース部３１の内側に、支持体１７が進入する。このとき、介装部材３０の下向片３５は、係止爪３６が支持体１７の側面１７ｂに突き当たることで、側面１７ｂから離間する方向に弾性変形する。
【００４６】
ここで、下向片３５は、フック部材２０の後面部２１ｂよりも下方に延びているので、フック部材２０の後面部２１ｂの下端２１ｒの部分を中心として、弾性変形しやすい。さらに、介装部材３０は、縮幅部３１ｎよりも下方に位置する部分の断面積が、縮幅部３１ｎよりも上方に位置する部分に比べて小さくなっている。そのため、下向片３５は、縮幅部３１ｎの近傍を中心として容易に弾性変形する。
【００４７】
フックユニット１９をさらに下方に移動させていくと、図３に示すように、係止爪３６が支持体１７の段部１８に下方から係合し、ベース部３１の上面部３１ｔが支持体１７の上面１７ｔに突き当たる。係止爪３６が段部１８に係合することで、支持体１７に対する介装部材３０の上方移動が拘束される。フック部材２０は、凹部２９に介装部材３０の凸部３９が係合しているので、支持体１７に対するフック部材２０の上方移動が拘束される。また、係止爪３６が段部１８に係合するときには、図８に示すように弾性変形していた下向片３５が前方に復元する。そのため、作業者は、その感触を手指を通して感じることができ、フック部材２０の装着が完了したことを容易に認識できる。
【００４８】
このようにして、フックユニット１９が支持体１７に装着された状態で、介装部材３０のベース部３１は、前面部３１ａ、上面部３１ｔ及び後面部３１ｂの３つの面が、支持体１７の側面１７ａ、上面１７ｔ及び側面１７ｂに沿って配置される。したがって、ベース部３１は、支持体１７に対し、延伸軸Ｃ周りへの回転（図３の紙面に沿った面内での回転）が拘束された状態で係止される。
【００４９】
また、フック部材２０は、前面部２１ａ、上面部２１ｔ及び後面部２１ｂの３つの面が、介装部材３０の前面部３１ａ、上面部３１ｔ及び後面部３１ｂに沿って配置される。さらに、係止プレート２１の凹部２８，２９と、ベース部３１の凸部３８，３９と、が係合している。したがって、フック部材２０は、介装部材３０に対し、延伸軸Ｃ周りへの回転が拘束された状態で係止される。
また、係止プレート２１の凹部２８，２９と、ベース部３１の凸部３８，３９とが係合することで、フック部材２０と介装部材３０との延伸方向への相対移動が拘束されている。
【００５０】
このようにして設けられたフック部材２０のフック部２２ｂを、輸液パック１００の上部に形成された孔１０１に挿通させることで、点滴用の輸液パック１００を吊下することができる。
ここで、フック部２２ｂは、係止プレート２１との間に直線部２２ａが配置されている。これにより、フック部２２ｂに吊下した輸液パック１００の上部１００ａが、係止プレート２１との間に隙間を隔てて配置される。したがって、輸液パック１００をフック部２２ｂに掛けた状態で、輸液パック１００を鉛直軸周りにある程度回転させることができ、輸液パック１００の表裏面に記載された情報の確認等を容易に行うことができる。
【００５１】
フックユニット１９を支持体１７から取り外すには、介装部材３０の延長片３７に指を引っ掛け、延長片３７を後方に押し込む。すると、下向片３５が後方に弾性変形することで、係止爪３６と段部１８との係合が解除される。この状態で、フックユニット１９を下方から上方に向かって移動させることで、フックユニット１９を支持体１７から取り外すことができる。
【００５２】
このように、本実施形態のフックユニット１９は、支持体１７に着脱可能に装着されるフック部材２０と、フック部材２０及び支持体１７間に介在する介装部材３０と、を有する構成とした。
この構成によれば、介装部材３０のベース部３１は、下方に向かって開放された形状を有している。これにより、介装部材３０は、支持体１７に対し、上方から着脱することができる。また、支持体１７にベース部３１を係止させた状態では、介装部材３０は支持体１７から脱落しにくい。さらに、介装部材３０のベース部３１は、支持体１７に対し、延伸軸Ｃ周りへの回転が拘束された状態で係止される。したがって、介装部材３０は、支持体１７に確実に支持される。
【００５３】
本実施形態において、フック部材２０の係止プレート２１は、下方に向かって開放された形状を有している。これにより、フック部材２０は、介装部材３０のベース部３１や支持体１７に対し、上方から着脱することができる。また、介装部材３０を介して支持体１７に係止プレート２１を係止させた状態では、フック部材２０は支持体１７から脱落しにくい。さらに、フック部材２０は、介装部材３０のベース部３１に対し、延伸軸Ｃ周りへの回転が拘束された状態で係止される。したがって、フック部材２０は、介装部材３０を介して支持体１７に確実に支持される。
【００５４】
このように、本実施形態では、フックユニット１９が支持体１７に着脱可能に装着されるため、例えば輸液パック１００の数や大きさ等に応じて、支持体１７に対するフックユニット１９の取付位置や取付数を容易に変更することができる。そのため、使い勝手を向上させることができる。
しかも、本実施形態では、フック部材２０が介装部材３０を介して支持体１７に着脱可能に装着されるため、フック部材２０に求められる機能や介装部材３０に求められる機能に応じて、フック部材２０及び介装部材３０の材料や形状等を適宜設定できる。これにより、設計の自由度も向上させることができる。
【００５５】
本実施形態では、介装部材３０はフック部材２０よりも摩擦係数の低い材料から形成されている。
この構成によれば、支持体１７の延伸方向におけるフックユニット１９の取付位置を調整する場合において、支持体１７に対して介装部材３０を摺動させながら、フックユニット１９の位置調整を行うことができる。すなわち、フックユニット１９を支持体１７に装着した状態で、支持体１７に対するフックユニット１９の位置を調整できるので、位置調整作業の容易化を図ることができる。さらに、支持体１７への介装部材３０の着脱、及び介装部材３０へのフック部材２０の着脱を容易に行うことができる。
【００５６】
本実施形態では、フック部材２０が介装部材３０に比べて剛性の高い材料により形成されているため、例えばフック部材２０に輸液パック１００を安定して吊り下げることができる。
しかも、フック部材２０が介装部材３０を介して支持体１７に装着されるので、フックユニット１９の支持体１７に対する取付位置の変更時や、支持体１７に対する着脱時等において、支持体１７が傷つくのを抑制できる。
【００５７】
本実施形態では、フックユニット１９が支持体１７に装着された状態において、介装部材３０のベース部３１が、支持体１７の上面１７ｔ及び側面１７ａ，１７ｂに沿って配置される構成とした。
この構成によれば、介装部材３０が支持体１７に対する延伸軸Ｃ周りの回転が拘束された状態で、支持体１７に装着できる。さらに、このような介装部材３０にフック部材２０を係止させることで、フック部材２０も、支持体１７に対する延伸軸Ｃ周りの回転が拘束された状態で、支持体１７に装着できる。
【００５８】
本実施形態では、介装部材３０に凸部３８，３９が形成され、凸部３８，３９が係合する凹部２８，２９がフック部材２０に形成されている構成とした。
この構成によれば、介装部材３０に形成された凸部３８，３９と、フック部材２０に形成された凹部２８，２９とが互いに係合することで、介装部材３０に対するフック部材２０の延伸軸Ｃ周りへの回転を拘束できる。
【００５９】
本実施形態では、支持体１７の段部１８に係止される係止爪３６が介装部材３０に形成された構成とした。
この構成によれば、介装部材３０の係止爪３６が支持体１７の段部１８に係止されることで、支持体１７に対するフックユニット１９の延伸軸Ｃ周りの回転をより確実に拘束できる。
【００６０】
本実施形態では、段部１８が支持体１７の延伸方向に沿って連続して形成されている構成とした。
この構成によれば、介装部材３０の係止爪３６を、段部１８の連続方向に沿った任意の位置に係止することができる。これにより、フックユニット１９を、支持体１７の延伸方向の任意の位置に装着できる。
【００６１】
本実施形態では、介装部材３０がベース部３１及び係止爪３６を接続するとともに、支持体１７から離間する方向に弾性変形可能とされた下向片３５を備える構成とした。
この構成によれば、下向片３５の下端部を、支持体１７から離間する方向に弾性変形させると、係止爪３６と段部１８との係合が解除され、介装部材３０を支持体１７から容易に取り外すことができる。
【００６２】
本実施形態では、下向片３５が、支持体１７よりも下方に突出する延長片３７を有する構成とした。
この構成によれば、延長片３７に指等を引掛けることで、下向片３５を支持体１７から離間する方向に容易に弾性変形させることができる。これにより、フックユニット１９をより簡単に支持体１７から取り外すことができる。
【００６３】
本実施形態では、下向片３５が、上下方向の一部のみで支持体１７に接触する構成とした。
この構成によれば、下向片３５の全体が支持体１７に接触する場合に比べて、下向片３５と支持体１７との接触面積が少なくなり、介装部材３０と支持体１７との間に生じる摩擦抵抗を抑えることができる。したがって、支持体１７の延伸方向に沿って介装部材３０を容易に移動させることができ、フックユニット１９の取付位置の調整を容易に行うことができる。
【００６４】
本実施形態では、ベース部３１と係止プレート２１との、支持体１７の延伸方向への相対移動を拘束する軸方向拘束部として、凹部２８，２９及び凸部３８，３９をさらに備える。
この構成によれば、フック部材２０と介装部材３０とが支持体１７の延伸方向に相対的に位置ずれするのを抑えることができる。
【００６５】
本実施形態の什器１０は、上述したフックユニット１９を有しているため、支持体１７に対するフックユニット１９の取付位置や取付数を容易に変更することが可能となる。
【００６６】
（第１変形例）
次に、上記実施形態において、フック部２２ｂと係止プレート２１との間に直線部２２ａを備えるようにしたが、これに限らない。
図９は、本実施形態の第１変形例を示す断面図である。
例えば図９に示すように、フック部２２ｆを、係止プレート２１の前面部２１ａの下端から連続して形成するようにしてもよい。
【００６７】
（第２変形例）
上記実施形態では下向片３５に形成した係止爪３６を、支持体１７の側面１７ｂと下面１７ｄとがなす角部によって形成される段部１８に係止させるようにしたが、これに限らない。
図１０は、本実施形態の第２変形例に係るフックユニット１９の幅方向（支持体１７の延伸方向）の中心における断面図である。図１１は、本実施形態の第２変形例に係るフックユニット１９の幅方向の中心からずれた位置における断面図である。
図１０、図１１に示すように、介装部材３０Ｄは、支持体１７Ｄの側面１７ｂに形成されたスリット又は孔４０によって形成される段部１８Ｄに、係止爪３６Ｄを係合させるようにしてもよい。
【００６８】
図１２は、本実施形態の第２変形例に係る介装部材３０Ｄの背面図である。
図１０、図１２に示すように、係止爪３６Ｄは、介装部材３０Ｄのうち、支持体１７Ｄの側面１７ｂに沿って下方に延びる下向片３５Ｄの下端部に形成されている。係止爪３６Ｄが、支持体１７Ｄへの段部１８Ｄに係合することで、支持体１７Ｄに対する介装部材３０Ｄの延伸軸Ｃ周りの回動が拘束されている。
【００６９】
介装部材３０Ｄには、下向片３５Ｄの上端部から斜め上方に延びる延長片３７Ｄが形成されている。延長片３７Ｄは、指等により前後方向に操作可能に構成されている。すなわち、延長片３７Ｄを前方に引き込むことで、下向片３５Ｄが上面部３１ｔを起点にして後方に弾性変形する。これにより、係止爪３６Ｄが段部１８Ｄから抜け、介装部材３０Ｄの支持体１７Ｄへの係合が解除される。
【００７０】
図１１、図１２に示すように、介装部材３０Ｄのうち、下向片３５Ｄの幅方向両側に位置する部分には、支持体１７Ｄの側面１７ｂに沿ってそれぞれ下方に延びる側片４１が形成されている。各側片４１には、後方に突出する凸部３９Ｄが形成されている。
【００７１】
図１３は、本実施形態の第２変形例に係るフック部材２０Ｄの正面図である。
図１１、図１３に示すように、フック部材２０Ｄの係止プレート２１Ｄは、上面部２１ｔの幅方向両端部から、それぞれ下向片３５Ｄに沿って下方に延びる後部片２１ｐを有している。後部片２１ｐには、介装部材３０Ｄの凸部３９Ｄが係合する凹部２９Ｄが形成されている。
フック部材２０Ｄは、係止プレート２１Ｄの上面部２１ｔに形成された凹部２８に、介装部材３０Ｄの凸部３８を係合させ、後部片２１ｐに形成された凹部２９Ｄに、凸部３９Ｄを係合させて、介装部材３０Ｄに装着される。これにより、フック部材２０Ｄは、介装部材３０Ｄを介し、支持体１７Ｄに対する延伸軸Ｃ周りの回動が拘束された状態で、支持体１７Ｄに装着される。
【００７２】
（第３変形例）
支持体１７は、断面矩形状に限らない。
図１４は、本実施形態の第３変形例に係るフックユニット１９の断面図である。
例えば、図１４に示すように、支持体１７Ｂを、上下方向を長軸方向とする楕円形（あるいは長円形）としてもよい。このような支持体１７Ｂに対し、下方に開放された介装部材３０Ｂ及びフック部材（オプション部材）２０Ｂの係止プレート（係止部）２１Ｂを、上方から装着することで、フック部材２０Ｂ及び介装部材３０Ｂは、支持体１７Ｂの延伸軸Ｃ周りへの回転が拘束される。
【００７３】
（第４変形例）
支持体１７は、水平方向に沿って直線状に延びるようにしたが、これに限らない。
図１５は、本実施形態のさらに第４変形例に係る点滴ラック部１５の平面図である。
例えば、図１５に示すように、支持体１７Ｃを円環状とし、フック部材２０を、支持体１７Ｃが連続する延伸方向（周方向）の一部に着脱可能に装着するようにしてもよい。
【００７４】
（その他の変形例）
以上、本発明の好ましい実施例を説明したが、本発明はこれら実施例に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば上記実施形態では、介装部材３０に凸部３８，３９が形成され、フック部材２０に凹部２８，２９が形成されるようにしたが、これに限らない。介装部材３０側に凹部を形成し、フック部材２０側に凸部を形成するようにしてもよい。
【００７５】
上記実施形態では、介装部材３０に下向片３５を備えるようにしたが、フック部材２０を支持体１７に装着した後に、支持体１７から取り外すことを想定しないのであれば、下向片３５を省略してもよい。
【００７６】
段部１８を支持体１７の延伸方向に延伸させず、支持体１７の延伸方向に沿って間欠的に設けてもよい。これにより、間欠的に設けられた段部の位置にのみ、フック部材２０を設けることもできる。
【００７７】
上記実施形態及び変形例では、フック部材２０，２０Ｂに、点滴用の輸液パック１００を吊下するようにしたが、フック部材２０，２０Ｂに吊下する物品については、何ら限定するものではない。
加えて、オプション部材としては、フック部材２０，２０Ｂに限らず、例えば、物品を載置できるトレーや、物品を収容できる各種形状の容器等であってもよい。
【００７８】
さらに、什器１０の什器本体１１は、その構成や用途は、いかなるものとしてもよい。例えば、什器本体１１を床面Ｆ上で走行移動可能なカート装置等としてもよい。
また、支持体１７は、移動可能な什器本体１１に限らず、床面Ｆ上に移動不能に設けられる棚やパーティション等の什器本体や、室内の壁面に設けるようにしても良い。
【００７９】
上述した実施形態では、介装部材３０がフック部材２０，２０Ｂよりも摩擦係数の低い材料により形成された場合について説明したが、この構成のみに限られない。例えば、フック部材よりも摩擦抵抗の高い材料により介装部材を形成してもよい。この場合には、支持体に対する介装部材の延伸方向での位置ずれを抑制できる。その他、介装部材の材料は、介装部材に要求される機能に応じて適宜変更が可能である。
【００８０】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００８１】
１０  什器
１７，１７Ｂ，１７Ｃ，１７Ｄ  支持体
１７ａ  側面
１７ｂ  側面
１７ｔ  上面
１８，１８Ｄ  段部
２０，２０Ｂ  フック部材（オプション部材）
２１  係止プレート（係止部）
２８  凹部（軸方向拘束部）
２９，２９Ｄ  凹部（軸方向拘束部）
３０，３０Ｂ，３０Ｄ  介装部材
３１  ベース部
３５，３５Ｄ  下向片
３６，３６Ｄ  係止爪
３８  凸部
３９  凸部
Ｃ  延伸軸
Ｆ  床面
【図１】
2019080733.tif 000003
【図２】
2019080733.tif 000004
【図３】
2019080733.tif 000005
【図４】
2019080733.tif 000006
【図５】
2019080733.tif 000007
【図６】
2019080733.tif 000008
【図７】
2019080733.tif 000009
【図８】
2019080733.tif 000010
【図９】
2019080733.tif 000011
【図１０】
2019080733.tif 000012
【図１１】
2019080733.tif 000013
【図１２】
2019080733.tif 000014
【図１３】
2019080733.tif 000015
【図１４】
2019080733.tif 000016
【図１５】
2019080733.tif 000017